(57)【要約】【課題】熱によって放電管が一方向に伸びても、放電管の破損を防ぐとともに電極と導電部の電気的接続を維持する。【解決手段】外部電極放電ランプ１は、導電板４ａ，４ｂが形成された板状部材２と、一端部に第１電極２１、他端部に第２電極２２が形成された４本の放電管１０と、支持部材４０と、８本の配線３０とを有している。支持部材４０は、板状部材２に固定されており、４本の放電管１０をその長手方向にスライド可能に支持する。配線３０は、可撓性を有しており、第１電極２１と導電板４ａ、及び、第２電極２２と導電板４ｂをそれぞれ電気的に接続する。【選択図】図１
2010272330.tif 000002
【特許請求の範囲】
【請求項１】
一方向に延在した長尺な板状部材と、
前記一方向に延在し、前記一方向と交差する方向に互いに離隔して配列された複数の放電管と、
前記放電管の一端部における外周面上に形成された第１電極と、
前記放電管の他端部における外周面上に形成された第２電極と、
前記板状部材の一表面に設けられており、前記複数の放電管を前記一方向にスライド可能に支持する支持手段と、
前記一表面の一部を構成する第１導電部と、
前記一表面の一部を構成するとともに前記第１導電部と絶縁された第２導電部と、
可撓性を有するとともに、前記第１電極と前記第１導電部、及び、前記第２電極と前記第２導電部をそれぞれ電気的に接続する複数の配線とを備えていることを特徴とする外部電極放電ランプ。
【請求項２】
前記第１導電部が、前記交差する方向に延在し且つ前記複数の放電管の一端部に跨って配置されており、
前記第２導電部が、前記交差する方向に延在し且つ前記複数の放電管の他端部に跨って配置されており、
前記支持手段が、前記第１及び第２導電部に固定され、前記放電管の両端部が挿通された複数の筒状部材対からなり、
前記交差する方向に隣接する前記筒状部材対が互いに離隔して配置されていることを特徴とする請求項１に記載の外部電極放電ランプ。
【請求項３】
前記放電管の外周面上には、前記第１及び第２電極の全域及び当該電極に接続された前記配線の一部を覆う絶縁膜が形成されていることを特徴とする請求項１又は２に記載の外部電極放電ランプ。
【請求項４】
前記支持手段は熱伝導性材料からなり、前記第１及び第２電極部からの放熱経路を兼用することを特徴とする請求項２に記載の外部放電ランプ。
【請求項５】
請求項１〜４のいずれかに記載の外部放電ランプと、
少なくとも一部に第１透明又は透光部が形成され、前記外部放電ランプを収める外装体とを備えていることを特徴とする照明器具。
【請求項６】
請求項１〜４のいずれかに記載の外部放電ランプと、
前記外部電極放電ランプの駆動用の電源回路部品と、
少なくとも一部に第１透明又は透光部が形成され、前記外部放電ランプ及び前記電源回路部品を収める外装体とを備えていることを特徴とする照明器具。
【請求項７】
前記外装体において、前記一方向に関して前記放電管の両端部と対向する位置には不可視加工が施されていることを特徴とする請求項５又は６に記載の照明器具。
【請求項８】
前記外装体において、前記一方向に関して前記放電管の両端部と対向する位置部分には放熱用孔が形成されていることを特徴とする請求項５又は６に記載の照明器具。
【請求項９】
前記第１透明又は透光部が、前記一方向に関して前記放電管の両端部を除く領域と対向する位置に形成されていることを特徴とする請求項５〜８のいずれか１項に記載の照明器具。
【請求項１０】
前記板状部材の前記第１透明又は透光部と対向する位置には、第２透明又は透光部が形成されていることを特徴とする請求項９に記載の照明器具。
【発明の詳細な説明】
【技術分野】
【０００１】
本発明は、両端部における外周面に電極が形成された複数の放電管が並列に並べられており、各放電管の電極間に電圧を印加することによって複数の放電管を発光させる外部電極放電ランプ及びこれを有する照明器具に関する。
【背景技術】
【０００２】
従来から、液晶ディスプレイのバックライトや、スキャナーの原稿読取用光源などに外部電極放電ランプが用いられている。この外部電極放電ランプは、水銀等の放電ガスが封入された長筒状の放電管と、放電管の両端部の外周面を被覆する電極とを備えており、電極としては、銅テープやアルミニウムテープなどの金属テープ、又は、銀ペースト等の導電性ペースト等が用いられている。放電管の両端部の電極に高周波高電圧を印加すると、放電管内で放電が発生し、外部電極放電ランプが点灯するようになっている。
【０００３】
また、液晶ディスプレイのバックライトとしては、例えば、複数のガラス管（放電管）が並列に並べられ、各ガラス管の一端部に形成された電極同士、及び、他端部に形成された電極同士が２本の電極連結線でそれぞれ電気的に接続されたものがあり、これら電極連結線に電圧が印加されることによって、複数のガラス管が同時に発光する（特許文献１参照）。
【先行技術文献】
【特許文献】
【０００４】
【特許文献１】特許第３６２２０３２号公報（図５）
【発明の開示】
【発明が解決しようとする課題】
【０００５】
上記特許文献１に記載の外部電極放電ランプにおいては、複数のガラス管が反射板上に配置され、一端部同士および他端部同士が２本の電極連結線に固定されている。これらガラス管は、ガラス管を発光させたときに生じる熱によってガラス管の長手方向に伸びる。液晶ディスプレイのバックライトのようにガラス管が比較的短い場合は問題がない。しかし、市販されている屋内で使用される蛍光灯器具の代換え品としての照明器具を考える場合、ガラス管が長くなり熱による伸縮の影響が顕著に現れる。そして、ガラス管が同じ材料から構成されていても、製造するときの製造誤差やガラス管に生じた熱のバラツキなどによって、これらガラス管の伸び率がばらつく。したがって、電極連結線に複数のガラス管が電極を介して固定されていると、発光させたときの熱によってガラス管が伸びたときに、電極と電極連結線との接続が破断する虞がある。加えて、ガラス管を反射板上に移動不可能に固定すると、ガラス管の伸びの反力として生じる圧縮方向の力によってガラス管が破損する。
【０００６】
そこで、本発明の目的は、熱によって放電管が一方向に伸びても、放電管の破損を防ぐとともに電極と導電部の電気的接続を維持することが可能な外部電極放電ランプ及び照明器具を提供することである。
【課題を解決するための手段及び発明の効果】
【０００７】
本発明の外部電極放電ランプは、一方向に延在した長尺な板状部材と、前記一方向に延在し、前記一方向と交差する方向に互いに離隔して配列された複数の放電管と、前記放電管の一端部における外周面上に形成された第１電極と、前記放電管の他端部における外周面上に形成された第２電極と、前記板状部材の一表面に設けられており、前記複数の放電管を前記一方向にスライド可能に支持する支持手段と、前記一表面の一部を構成する第１導電部と、前記一表面の一部を構成するとともに前記第１導電部と絶縁された第２導電部と、可撓性を有するとともに、前記第１電極と前記第１導電部、及び、前記第２電極と前記第２導電部をそれぞれ電気的に接続する複数の配線とを備えている。
【０００８】
これによると、放電管が支持手段によってスライド可能に支持されているので、第１及び第２導電部に電圧を印加して放電管を発光させたときに生じる熱によって放電管が一方向に伸びても、放電管の破損を防ぐことができる。加えて、電極と導電部とが可撓性を有する配線によって接続されているので、放電管の伸びを配線が吸収することが可能となる。そのため、電極と導電部の電気的接続が維持される。
【０００９】
本発明において、前記第１導電部が、前記交差する方向に延在し且つ前記複数の放電管の一端部に跨って配置されており、前記第２導電部が、前記交差する方向に延在し且つ前記複数の放電管の他端部に跨って配置されており、前記支持手段が、前記第１及び第２導電部に固定され、前記放電管の両端部が挿通された複数の筒状部材対からなり、前記交差する方向に隣接する前記筒状部材対が互いに離隔して配置されていることが好ましい。これにより、放電管を筒状部材対で個別に支持することが可能になる。
【００１０】
また、本発明において、前記放電管の外周面上には、前記第１及び第２電極の全域及び当該電極に接続された前記配線の一部を覆う絶縁膜が形成されていることが好ましい。これにより、第１及び第２電極間に電圧を印加している際に、これら電極が空気に触れていると、第１及び第２電極の両端部において発生したコロナ放電により空気中の酸素が反応してオゾンが発生してしまうが、絶縁膜が各電極を覆っているので、オゾンの発生を防止することができる。
【００１１】
また、本発明において、前記支持手段は熱伝導性材料からなり、前記第１及び第２電極部からの放熱経路を兼用することが好ましい。これにより、第１及び第２電極間に電圧を印加している際に、第１及び第２電極に生じた熱を効果的に放熱することが可能となる。そのため、放電管が第１及び第２電極に生じた熱により伸びにくくなる。
【００１２】
本発明の照明器具は、上述の外部放電ランプと、少なくとも一部に第１透明又は透光部が形成され、前記外部放電ランプを収める外装体とを備えている。
【００１３】
また、本発明の照明器具は、上述の外部放電ランプと、前記外部電極放電ランプの駆動用の電源回路部品と、少なくとも一部に第１透明又は透光部が形成され、前記外部放電ランプ及び前記電源回路部品を収める外装体とを備えている。
【００１４】
これによると、第１及び第２導電部に電圧を印加して放電管を発光させたときに生じる熱によって放電管が一方向に伸びても、放電管の破損を防ぐことができるとともに、放電管の伸びを配線に吸収させ電極と導電部の電気的接続を維持することができる照明器具を得ることができる。
【００１５】
本発明において、前記外装体において、前記一方向に関して前記放電管の両端部と対向する位置には不可視加工が施されていることが好ましい。これにより、不可視加工部分が目隠しとなって照明器具としての美観を損なわないようにできる。また、不可視加工が施された位置は、高電圧が印加される恐れがあり、また高温度となる放熱管の支持手段部分などを含み、不可視加工部は感電防止となるとともに燃えやすい埃等の付着を防止することができる。
【００１６】
また、本発明において、前記外装体において、前記一方向に関して前記放電管の両端部と対向する位置部分には放熱用孔が形成されていることが好ましい。これにより、第１及び第２電極に生じた熱をより効果的に放熱することが可能となる。
【００１７】
また、本発明において、前記第１透明又は透光部が、前記一方向に関して前記放電管の両端部を除く領域と対向する位置に形成されていることが好ましい。放電管の中央と対向する第１透明又は透光部から発光させることが可能となる。
【００１８】
また、本発明において、前記板状部材の前記第１透明又は透光部と対向する位置には、第２透明又は透光部が形成されていることが好ましい。これにより、第１及び第２透明又は透光部から発光させることが可能となる。
【図面の簡単な説明】
【００１９】
【図１】本発明の第１実施形態による外部電極放電ランプの斜視図である。
【図２】（ａ）は図１に示す外部電極放電ランプの部分断面図であり、（ｂ）は図２（ａ）に示すＡ−Ａ線に沿った断面図である。
【図３】本発明の第２実施形態による照明器具の斜視図である。
【図４】本発明の第３実施形態による照明器具の斜視図である。
【図５】本発明の第４実施形態による照明器具の斜視図である。
【発明を実施するための形態】
【００２０】
以下、本発明の好適な実施の形態について、図面を参照しつつ以下に説明する。
【００２１】
本発明の第１実施形態による外部電極放電ランプ１は、図１に示すように、一方向に長尺な板状部材２と、板状部材２の長手方向に延在した長尺な４本の放電管１０と、各放電管１０の両端部に形成された第１及び第２電極２１，２２と、これら第１及び第２電極２１，２２のそれぞれと電気的に接続された８本の配線３０と、これら放電管１０を長手方向にスライド可能に支持する支持部材（支持手段）４０とを有している。
【００２２】
板状部材２は、絶縁性を有する基板３と、基板３の上面に積層され板状部材２の上層（一表面）を構成する２枚の導電板４ａ，４ｂ及び１枚の絶縁性の光反射シート５とを有している。
【００２３】
導電板４ａ，４ｂは、例えば、銅板又は銅箔からなり、基板３の長手方向の両端部に形成されている。つまり、導電板４ａ，４ｂは、基板３の長手方向に関して、光反射シート５を挟んで互いに離隔して配置されている。また、導電板４ａ，４ｂは基板３の長手方向と直交する方向に延在しており、導電板４ａが４本の放電管１０の一端部、導電板４ｂが４本の放電管１０の他端部に跨って配置されている。導電板４ａ，４ｂの上面のそれぞれには、配線５０の一端が半田付けされている。これら配線５０の他端は、図示しない別途構成している電源部のインバータ電源に接続されている。配線５０はコネクタ形式としてコネクタの一方を基板３に取り付けるようにしてもよい。
【００２４】
放電管１０は、例えば、管径６．２ｍｍ、管長約８００ｍｍ及び管肉厚０．６ｍｍの円筒状のガラス管であり、その両端が封止されることで内部が密閉空間１１（図２参照）となっている。密閉空間１１には、例えば、アルゴン（Ａｒ）７５％・ネオン（Ｎｅ）２５％の放電ガスが充填されており、そのガス圧３０〜４０Ｔｏｒｒとなっている。
【００２５】
第１電極２１は、放電管１０の一端部（図１中左端部）の外周面に形成されている。第２電極２２は、放電管１０の他端部（図１中右端部）の外周面に形成されている。これら第１及び第２電極２１，２２は、ともに導電ペーストを固化させたものであり、放電管１０の端部において、それぞれ全周にわたって形成されている。本実施形態において、第１及び第２電極２１，２２の電極長は、例えば、４０〜５５ｍｍとなっている。なお、第１及び第２電極２１，２２は、導電性を有しておれば、どのような材質であってもよい。
【００２６】
配線３０は、可撓性を有し、一端は第１及び第２電極２１，２２の長手方向の中央に半田付けされており、他端は導電板４ａ，４ｂに半田付けされている。このように、４本の放電管１０の第１電極２１同士、及び、第２電極２２同士が、配線３０と導電板４ａ，４ｂによってそれぞれ電気的に接続されている。また、配線３０は、放電管１０が熱の影響によって伸縮したその伸縮長を撓むことによって十分吸収することが可能な長さになっている。
【００２７】
また、放電管１０の両端部の外周面には、絶縁膜２５がそれぞれ形成されている。放電管１０の一端部に形成された絶縁膜２５は、図２（ａ）に示すように、第１電極２１の表面全域及び当該第１電極２１に接続された配線３０の一部を覆っている。また、放電管１０の他端部に形成された絶縁膜２５も、第２電極２１の表面全域及び当該第２電極２２に接続された配線３０の一部を覆っている。
【００２８】
この構成において、高周波高電圧がインバータ電源から配線５０を介して導電板４ａ，４ｂに印加されると、各放電管１０の第１及び第２電極２１，２２にも配線３０を介して電圧が印加され、各放電管１０内で放電が発生して放電ガスが発光する。なお、４本の放電管を並列駆動するインバータ電源としては、７０ｋＨｚ、９００Ｖｐ／ｐを使用し、１放電管当たり１２ｍＡの電流を流した結果、光束１４５０ｌｍ、効率６５ｌｍ／ｗａｔｔの明るさを得た。これは、市販の１００W級電球を点灯したときの明るさにほぼ匹敵するものである。
【００２９】
このとき、第１及び第２電極２１，２２の両端部においてはコロナ放電が発生しやすく、この部分が空気に接触していると、コロナ放電が発生したときに空気中の酸素が反応してオゾンが発生してしまう虞がある。しかしながら、本実施形態においては、第１及び第２電極２１，２２の両端部を含めた全域が絶縁膜２５によって覆われているので、第１及び第２電極２１，２２が空気に接触しなくなり、オゾンの発生を防止することができる。なお、本実施形態では配線３０（金属線）が支持部材４０と接触することにより通電し、支持部材４０も導電板４a、４ｂから放電管１０の第1電極２１，２２への給電回路を構成している。したがって、支持部材４０（後述する筒状部材４１）が高電圧となって筒状部材４１の放電管１０の中央側の端部でオゾンを発生する恐れがある。そこで本実施形態では絶縁膜２５を筒状部材４１の放電管１０の中央側の端部からはみ出すように延在して形成している。
【００３０】
また、この種の放電管１０は、第1及び第２電極２１，２２部分において最も発熱が多く高温度になる。このため、絶縁膜２５は耐高温性材質のものが好ましい。また、絶縁膜２５は支持部材４０とすべりがよく、且つ熱伝導性に優れた材質であることが好ましい。この点より、絶縁膜２５としては例えばテフロン（登録商標）やポリアセタール樹脂（ジュラコン：登録商標）等が適当である。
【００３１】
支持部材４０は、導電板４ａ，４ｂに固定され、放電管１０をそれぞれ支持する４つの筒状部材対を有している。各対の筒状部材４１は、熱伝導性に優れたアルミニウムなどの金属から構成されている。このように、筒状部材４１はアルミニウムなどの熱伝導性に優れた金属からなることで、放電管１０の第1及び第２電極２１，２２部分からの放熱を促進し、放電管１０が熱によって伸びることを軽減している。
【００３２】
また、筒状部材４１には、図２（ｂ）に示すように、放電管１０の延在方向に貫通し且つ絶縁膜２５の直径よりも若干大きな直径を有する孔４２が形成されている。そして、この孔４２に放電管１０の端部が挿通されることによって、放電管１０が筒状部材４１にスライド可能に支持されている。また、４つの筒状部材対は、図１に示すように、放電管１０の長手方向と直交する方向に互いに離隔して配置されている。つまり、４本の放電管１０も、その直交する方向に互いに離隔して配置されている。これにより、放電管１０を個別に支持することが可能になる。
【００３３】
また、筒状部材４１の内面には、配線３０と対向する位置であって放電管１０の長手方向に延在した溝４３が形成されている。これにより、放電管１０を孔４２に挿入するとき、及び、放電管１０がその発光による熱によって伸びたときなどにおいて、配線３０と筒状部材４１の内面とが接触しにくくなって、配線３０が断線しにくくなる。
【００３４】
以上のように、本実施形態によると、放電管１０が支持部材４０によってスライド可能に支持されているので、導電板４ａ，４ｂに電圧を印加して放電管１０を発光させたときに生じる熱によって放電管１０がその長手方向に伸びても、放電管１０の破損を防ぐことができる。加えて、第１及び第２電極２１，２２と導電板４ａ，４ｂとが可撓性を有する配線３０によって接続されているので、放電管１０の伸びを配線３０が吸収することが可能となる。そのため、第１及び第２電極２１，２２と導電板４ａ，４ｂの電気的接続が維持される。
【００３５】
続いて、本発明の第２〜４実施形態による照明器具について、図３〜図５を参照しつつ以下に説明する。なお、第１実施形態と同様なものに関しては、同符号で示し説明を省略する。第２実施形態の照明器具２０１は、図３に示すように、第１実施形態の外部電極放電ランプ１と、これを覆う外装体２０２とを有している。
【００３６】
外装体２０２は、板状部材３の下面に固定され、断面形状がコの字型のケース２０３と、ケース２０３に固定された板状のカバー２０４とを有している。なお、外装体２０２は、長手方向に沿って開放されている。ケース２０３及びカバー２０４は、透明又は透光性のあるアクリル樹脂から構成されている。そして、放電管１０の両端部、すなわち、ケース２０３及びカバー２０４の長手方向の両端部であって導電板４ａ，４ｂと対向する位置には、特に不可視加工（すなわち、スモーク）が施されている。これにより、不可視加工部分が目隠しとなって照明器具としての美観を損なわないようにできる。外装体２０２の放電管１０の両端部を除く領域と対向する位置は、透明又は透光部（第１透明又は透光部）２０２ａが形成される。これにより、照明器具２０１は、当該透明又は透光部２０２ａから発光させることが可能となる。なお、カバー２０４は、透明又は透光性を有しておればどのような合成樹脂から構成されていてもよい。あるいは、第１透明又は透光部２０２aはカバー２０４の窓部により形成してもよい。この場合、カバー２０４の材質はさらに広く選択可能である。また、不可視加工が施された位置は、高電圧が印加される恐れがあり、また高温度となる放熱管１０の支持部材部分などを含み、不可視加工部分でこの部分だけでも覆っておくことで、感電防止となるとともに燃えやすい埃等の付着を防止することができる。
【００３７】
また、カバー２０４の導電板４ａ，４ｂと対向する位置には、厚み方向に貫通した複数の放熱用孔２０４ａ、例えばスリットが形成されている。これにより、第１及び第２電極２１，２２に生じた熱をより効果的に放熱することが可能となる。
【００３８】
第３実施形態の照明器具３０１は、図４に示すように、第２実施形態の照明器具２０１のカバー２０４をなくし、板状部材２との間に４本の放電管１０を挟むようにケース２０３を板状部材２に固定してなる。すなわち、ケース２０３が外部電極放電ランプ１を収める外装体を構成している。この場合、ケース２０３の導電板４ａ，４ｂと対向する位置に、厚み方向に貫通した複数の放熱用孔２０３ａが形成されていることが望ましい。これにより、第２実施形態と同様な効果を得ることができる。
【００３９】
上述の第２及び第３実施形態においては、光反射シート５が設けられていたが、光反射シート５を設けずに基板３を外装体の一部として透明及び絶縁性を有する合成樹脂から構成してもよい。こうすることで、板状部材２の光反射シート５と対向していた部分（すなわち、カバー２０２及びケース２０３の透明又は透光部２０２ａと対向する部分）が透明又は透光部（第２透明又は透光部）となる。これにより、照明器具は、透明又は透光部２０２ａに加えて板状部材２の透明又は透光部からも発光させることが可能となる。なお、第２実施形態の変形例においては、ケース２０３を設けなくてもよい。この場合、カバー２０４を支持部材４０に固定すればよい。
【００４０】
第４実施形態の照明器具４０１は、図５に示すように、第１実施形態の外部電極放電ランプ１と、配線５０に接続され、板状部材２の下面に固定されたインバータ電源（電源回路部品）４０５と、これらを収める外装体４０２とを有している。インバータ電源４０５には外装体４０２より引き出されたプラグ２４０を介して１００Vの交流電源が供給される。
【００４１】
外装体４０２は、第２実施形態のケース２０３の長手方向の両端に側壁４０３ａが形成されてなる箱状のケース４０３と、カバー２０４とを有している。ケース４０３も透明又は透光性のあるアクリル樹脂から構成されている。また、ケース４０３の長手方向の両端部であって、導電板４ａ，４ｂと対向する位置には、上述と同様な不可視加工が施されている。外装体４０２の放電管１０の両端部を除く領域と対向する位置は、透明又は透光部（第１透明又は透光部）４０２ａとなる。これにより、照明器具２０１は、当該透明又は透光部４０２ａから発光させることが可能となる。また、ケース４０３の側壁４０３ａにも、厚み方向に貫通した複数の放熱用孔４０３ｂが形成されている。これにより、第１及び第２電極２１，２２部に生じた熱をより一層効果的に放熱することが可能となる。
【００４２】
以上のように、上述した第２〜第４実施形態及び変形例においても、導電板４ａ，４ｂに電圧を印加して放電管１０を発光させたときに生じる熱によって放電管１０がその長手方向に伸びても、放電管１０の破損を防ぐことができるとともに、放電管１０の伸びを配線３０に吸収させ、第１及び第２電極２１，２２と導電板４ａ，４ｂの電気的接続を維持することができる照明器具２０１，３０１，４０１を得ることができる。
なお、図３及び図４のケース２０３、図５のケース４０５に一体に形成した４片の部位２５０は、上記した照明器具を天井や壁面にネジなどを用いて取り付けるための取り付け部である。
【００４３】
以上、本発明の好適な実施の形態について説明したが、本発明は上述の実施形態に限られるものではなく、特許請求の範囲に記載した限りにおいて様々な変更が可能なものである。例えば、筒状部材４１が光反射シート５上に固定されていてもよい。また、支持手段としての支持部材４０は、放電管１０をその長手方向にスライド可能に支持することが可能であれば、どのような構成であってもよい。また、支持部材４０は、放電管１０が互いに接した状態で配置されるように、複数の放電管１０を支持していてもよい。また、絶縁膜２５が設けられていなくてもよい。また、導電板４ａ，４ｂは、放電管１０の長手方向と直交する方向に延在していなくてもよいし、各放電管１０の端部同士に跨って配置されていなくてもよい。
【００４４】
また、板状部材２には、２つの外部電極放電ランプを連結することが可能な凹部と凸部が設けられていてもよい。この場合、凹部が板状部材２の長手方向に沿う一方の長辺部に形成され、凸部が他方の長辺部に形成される。凹部および凸部は、板状部材２の厚み方向に沿って嵌合可能であり、両者が嵌合することによって長手方向と直交する方向に係止される形状を有しておればよい。また、複数の外部電極放電ランプを連結した場合は、導電板を適宜の方法によって電気的に接続すればよい。これにより、複数の外部電極放電ランプを連結して大面積の外部電極放電ランプユニットを構成することが可能となる。
【００４５】
また、放電管１０の両端には、放電管１０の両端部を筒状部材４１に挿入した後に、筒状部材４１の内径よりも大きな外径を有するキャップを嵌め込んでいてもよい。これにより、放電管１０が筒状部材４１から外れにくくなる。
【符号の説明】
【００４６】
１  外部電極放電ランプ
２  板状部材
４ａ  導電板（第１導電部）
４ｂ  導電板（第２導電部）
１０  放電管
２１  第１電極
２２  第２電極
２５  絶縁膜
３０  配線
４０  支持部材（支持手段）
４１  筒状部材
２０２，４０２  外装体
２０２ａ，４０２ａ  透明又は透光部（第１透明又は透光部）
４０５  インバータ電源
２０３ａ，２０４ａ，４０３ｂ  スリット
【図１】
2010272330.tif 000003
【図２】
2010272330.tif 000004
【図３】
2010272330.tif 000005
【図４】
2010272330.tif 000006
【図５】
2010272330.tif 000007